【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
容器の分配用密封装置であって、
前記容器に受け取られ、前記容器との間に接触面を画定する領域を有するキャップであって、内面及び外面を有すると共に、前記キャップを通って前記内面から前記外面まで延びて、前記容器内の材料を分配できるようにする第１の孔と、前記キャップを通って前記内面から前記外面まで延び、前記キャップと前記容器との間の接触面に隣接して位置付けられ、前記キャップと前記容器との間の前記接触面に入る水分を前記キャップから排出できるようにする第２の孔とを有する、キャップと、
前記キャップの前記内面に隣接して位置付けられ、前記キャップの前記第１の孔を選択的に塞ぐ第１の可動部材であって、前記第１の孔を塞ぐ第１の位置と、前記第１の孔を塞がない第２の位置との間で移動可能な第１の可動部材と、
前記キャップの前記外面に隣接して位置付けられ、前記キャップの前記第１の孔を選択的に塞ぐ第２の可動部材であって、前記第１の孔を塞ぐ第１の位置と、前記第１の孔を塞がない第２の位置との間で移動可能であり、前記第１の可動部材及び前記第２の可動部材の移動は、前記可動部材のうちの少なくとも一つが前記第１の孔を常に塞ぐように順序付けられる、第２の可動部材とを備える、分配用密封装置。
【請求項２】
前記キャップと前記第１の可動部材との間に位置付けられるバッフル板であって、前記容器と前記キャップとの間の前記接触面に隣接して前記容器と係合し、前記接触面に沿って入り込む水分を前記容器の内容物から離して前記キャップの前記第２の孔に向かって誘導する肩部を有するバッフル板をさらに備える、請求項１に記載の分配用密封装置。
【請求項３】
前記肩部は、前記容器と係合する頂点と、前記頂点と隣接して位置付けられると共に、前記頂点から半径方向外方に延びて水分を誘導する傾斜部分とを有する、請求項２に記載の分配用密封装置。
【請求項４】
前記バッフル板の前記傾斜部分と前記接触面に沿う前記キャップの隣接領域とは、水分を前記第２の孔に向かって誘導する通路を画定する、請求項３に記載の分配用密封装置。
【請求項５】
前記キャップの周りに延び且つ前記第２の孔と交差するリッジであって、前記バッフル板を少なくとも部分的に支持し、前記通路をさらに画定するリッジをさらに有する、請求項４に記載の分配用密封装置。
【請求項６】
前記キャップ及び前記バッフル板は、前記容器に対して実質的に凹状の形状を有する、請求項２に記載の分配用密封装置。
【請求項７】
前記可動部材は、前記第１の位置と前記第２の位置との間で回転する、請求項１に記載の分配用密封装置。
【請求項８】
前記第１の可動部材には第１の通路が画定され、前記第２の可動部材には第２の通路が画定されており、前記第１の可動部材及び前記第２の可動部材の回転が、前記第１の通路及び前記第２の通路を前記第１の孔と選択的に順次連通する、請求項７に記載の分配用密封装置。
【請求項９】
前記第１の通路は、前記第２の通路に対して回転可能にずらされる、請求項８に記載の分配用密封装置。
【請求項１０】
分配可能な粒状材料を収容する容器の分配用密封装置であって、
前記容器に受け取られるキャップであって、内面と、外面と、前記キャップを通って前記内面から前記外面まで延びて、前記容器内の材料を分配できるようにする孔とを有する、キャップと、
前記キャップの前記内面に隣接して位置付けられ、前記キャップの前記孔を選択的に塞ぐロータであって、前記ロータは通路を有し、前記孔が前記通路と連通しない第１の位置と、前記孔が前記通路と連通する第２の位置との間で移動可能であり、前記通路は第１の縁及び第２の縁を有し、前記第１の縁は前記ロータが回転すると前記第２の縁より前に前記孔と連通し、前記第２の縁は前記縁に沿って位置付けられて前記ロータと前記キャップとの間に隙間を画定する凹部を有し、前記隙間は前記ロータと前記キャップとの間に捕捉されている分配可能な材料を逃がすことができるようにする、ロータと、
前記キャップの前記外面に隣接して位置付けられ、前記キャップの前記孔を選択的に塞ぐ可動部材であって、前記孔を塞ぐ第１の位置と、前記孔を塞がない第２の位置との間で移動可能であり、前記ロータ及び前記可動部材の移動は、前記ロータ及び前記可動部材のうちの少なくとも一方が前記孔を常に塞ぐように順序付けられる、可動部材とを備える、分配用密封装置。
【請求項１１】
前記可動部材は、前記第１の位置と前記第２の位置との間で回転する、請求項１０に記載の分配用密封装置。
【請求項１２】
前記可動部材には第２の通路が画定されており、前記ロータ及び前記可動部材の回転が、前記ロータの前記通路及び前記第２の通路を前記孔と選択的に順次連通する、請求項１１に記載の分配用密封装置。
【請求項１３】
分配可能な粒状材料を収容する容器の分配用密封装置であって、
前記容器に受け取られるキャップであって、内面と、外面と、前記キャップを通って前記内面から前記外面まで延びて、前記容器内の材料を分配できるようにする孔とを有する、キャップと、
前記キャップの前記内面に隣接して位置付けられ、前記キャップの前記孔を選択的に塞ぐ可動部材であって、前記孔を塞ぐ第１の位置と、前記孔を塞がない第２の位置との間で移動可能である、可動部材と、
前記キャップの前記外面に隣接して位置付けられ、前記キャップの前記孔を選択的に塞ぐロータであって、前記ロータは通路を有し、前記孔が前記通路と連通しない第１の位置と、前記孔が前記通路と連通する第２の位置との間で移動可能であり、前記通路は第１の縁及び第２の縁を有し、前記第１の縁は前記ロータが回転すると前記第２の縁より前に前記孔と連通し、前記第２の縁は前記縁に沿って位置付けられて前記ロータと前記キャップとの間に隙間を画定する凹部を有し、前記隙間は前記ロータと前記キャップとの間に捕捉されている分配可能な材料を逃がすことができるようにし、前記可動部材及び前記ロータの移動は、前記可動部材及び前記ロータのうちの少なくとも一方が前記孔を常に塞ぐように順序付けられる、ロータとを備える、分配用密封装置。
【請求項１４】
前記可動部材は、前記第１の位置と前記第２の位置との間で回転する、請求項１３に記載の分配用密封装置。
【請求項１５】
前記可動部材には第２の通路が画定されており、前記ロータ及び前記可動部材の回転が、前記ロータの前記通路及び前記第２の通路を前記孔と選択的に順次連通する、請求項１４に記載の分配用密封装置。
【請求項１６】
容器の分配用密封装置であって、
前記容器に受け取られるキャップであって、内面と、外面と、前記キャップを通って前記内面から前記外面まで延びて、前記容器内の材料を分配できるようにする孔とを有する、キャップと、
前記キャップの前記内面に隣接して位置付けられ、前記キャップの前記孔を選択的に塞ぐ第１の可動部材であって、前記孔を塞ぐ第１の位置と、前記孔を塞がない第２の位置との間で移動可能な第１の可動部材と、
前記キャップの前記外面に隣接して位置付けられ、前記キャップの前記孔を選択的に塞ぐ第２の可動部材であって、前記孔を塞ぐ第１の位置と、前記孔を塞がない第２の位置との間で移動可能であり、前記第２の可動部材は、前記第２の位置から前記第１の位置へ移動して戻るときに前記キャップの前記孔と接触し通過する縁を有し、前記縁は鋭角を画定する点で終端する概ね傾斜した表面を有し、前記縁の前記孔を通過する移動が前記キャップの前記孔に隣接する外面に付着している分配された材料を取り除き、前記第２の可動部材は、平面を実質的に画定する本体を有し、前記縁の前記点は前記平面から前記キャップに向かって延びるように付勢される、第２の可動部材とを備え、
前記第１の可動部材及び前記第２の可動部材の移動は、前記可動部材のうちの少なくとも一つが前記孔を常に塞ぐように順序付けられる、分配用密封装置。
【請求項１７】
前記縁の前記概ね傾斜した表面は凹部を有する、請求項１６に記載の分配用密封装置。
【請求項１８】
前記可動部材は、前記第１の位置と前記第２の位置との間で回転する、請求項１７に記載の分配用密封装置。
【請求項１９】
前記第１の可動部材には第１の通路が画定され、前記第２の可動部材には第２の通路が画定されており、前記第１の可動部材及び前記第２の可動部材の回転が、前記第１の通路及び前記第２の通路を前記孔と選択的に順次連通する、請求項１８に記載の分配用密封装置。
【請求項２０】
前記第１の通路は、前記第２の通路に対して回転可能にずらされる、請求項１９に記載の分配用密封装置。
【請求項２１】
分配可能な粒状材料を収容する容器の分配用密封装置であって、
前記容器に受け取られるキャップであって、内面と、外面と、前記キャップを通って前記内面から前記外面まで延びて、前記容器内の材料を分配できるようにする孔とを有し、前記キャップの前記外面は前記孔に隣接して概ね平坦な構造を有し且つ前記概ね平坦な構造から延び始める傾斜面を有し、前記傾斜面は前記孔と交差する、キャップと、
前記キャップの前記内面に隣接して位置付けられ、前記キャップの前記孔を選択的に塞ぐ第１の可動部材であって、前記孔を塞ぐ第１の位置と、前記孔を塞がない第２の位置との間で移動可能な第１の可動部材と、
前記キャップの前記外面に隣接して位置付けられ、前記キャップの前記孔を選択的に塞ぐ第２の可動部材であって、前記孔を塞ぐ第１の位置と、前記孔を塞がない第２の位置との間で移動可能であり、前記第１の可動部材及び前記第２の可動部材の移動は、前記可動部材のうちの少なくとも一つが前記孔を常に塞ぐように順序付けられる、第２の可動部材とを備える、分配用密封装置。
【請求項２２】
前記第２の可動部材は、前記第２の位置から前記第１の位置へ移動して戻るときに前記キャップの前記傾斜面及び前記孔と接触し通過する縁を有し、前記縁は、鋭角を画定する点で終端する概ね傾斜した表面を有し、前記縁と前記キャップとの接触は、前記縁が前記キャップの前記傾斜面に沿って移動するにつれて大きくなる、請求項２１に記載の分配用密封装置。
【請求項２３】
前記第１の可動部材及び前記第２の可動部材は、前記第１の位置と前記第２の位置との間で回転する、請求項２２に記載の分配用密封装置。
【請求項２４】
前記第１の可動部材には第１の通路が画定され、前記第２の可動部材には第２の通路が画定されており、前記第１の可動部材及び前記第２の可動部材の回転が、前記第１の通路及び前記第２の通路を前記孔と選択的に順次連通する、請求項２３に記載の分配用密封装置。
【請求項２５】
前記第１の通路は、前記第２の通路に対して回転可能にずらされる、請求項２４に記載の分配用密封装置。
【請求項２６】
前記第２の可動部材は、前記キャップの前記孔に隣接する前記外面の前記実質的に平坦な構造と適合する実質的に平坦な構造を有する、請求項２１に記載の分配用密封装置。
【請求項２７】
粉末材料又は粒状材料を容器から分配する方法であって、
フレームと、前記フレームに連結される容器とを備える分配アセンブリの準備であって、前記容器は粒状材料又は粉末材料を収容し、且つ少なくとも一部が回転することによって前記容器から前記材料を選択的に分配する密封装置を有し、前記密封装置はキャップと、第１のロータと、第２のロータとを有し、前記キャップは前記容器に受け取られると共に、内面と、外面と、前記キャップを通って前記内面から前記外面まで延びて、前記容器内の材料を分配できるようにする孔とを有し、前記第１のロータは前記キャップの前記内面に隣接して位置付けられ且つ前記キャップの前記孔を選択的に塞ぐと共に、前記孔を塞ぐ第１の位置と、前記孔を塞がない第２の位置との間で移動可能であり、前記第２のロータは前記キャップの前記外面に隣接して位置付けられ且つ前記キャップの前記孔を選択的に塞ぐと共に、前記孔を塞ぐ第１の位置と、前記孔を塞がない第２の位置との間で移動可能であり、前記第１のロータ及び前記ロータの移動は、前記可動部材のうちの少なくとも一つが前記孔を常に塞ぐように順序付けられ、前記分配装置はまた、前記フレームに連結され且つ前記フレームに対して前記密封装置の一部を回転させるように起動可能な駆動部材と、前記フレーム及び前記駆動部材に連結されるセンサとを備え、前記センサは前記キャップの前記孔に対する前記第１のロータ及び前記第２のロータの位置を感知するように位置付けられ且つ適合されると共に、材料が前記孔から分配された後で、前記第１のロータが前記第１のロータの第１の位置にあり、前記第２のロータが前記第２のロータの前記第１の位置にあると前記センサが判断するときにのみ前記駆動部材を停止する、準備をし、
前記駆動部材を起動し、
前記密封装置の前記孔を分配可能な材料で充填するために前記密封装置の前記ロータを回転させ、
前記密封装置内の分配可能な材料のみを分配するために前記密封装置の前記ロータを回転させ、
前記第１のロータ及び前記第２のロータが、前記第１のロータ及び前記第２のロータそれぞれの前記第１の位置にくるまで前記ロータを回転させ、
前記第１のロータ及び前記第２のロータの位置を感知し、
前記第１のロータ及び前記第２のロータそれぞれがそれぞれの前記第１の位置にあることを感知すると、前記駆動部材を停止する、方法。
【請求項２８】
４０％超の苛性アルカリ材料を有する粉末製品又は粒状製品を分配するアセンブリであって、
開口を有し、且つ前記４０％超の苛性アルカリ材料を有する粉末製品又は粒状製品を収容する分配可能な容器と、
前記分配可能な容器に連結される密封装置であって、水分が前記容器に入って前記４０％超の苛性アルカリを有する粉末製品又は粒状製品と接触することを防止するように構成される密封装置とを備え、
前記密封装置は、前記容器に受け取られ且つ前記容器との間に接触面を画定する領域を有するキャップであって、内面及び外面を有し、前記キャップを通って前記内面から前記外面まで延びて、前記容器内の材料を分配できるようにする第１の孔と、前記キャップを通って前記内面から前記外面まで延び、前記キャップと前記容器との間の接触面に隣接して位置付けられると共に、前記キャップと前記容器との間の前記接触面に入る水分を前記キャップから排出できるようにする第２の孔とを有する、キャップと、
前記キャップの内側に連結されると共に前記キャップの中心軸を中心に回転するように位置付けられる第１のロータであって、前記キャップの前記第１の孔を塞ぐ位置と、前記キャップの前記第１の孔を塞がない位置との間で回転可能である第１のロータと、
前記キャップの外側に連結されると共に前記キャップの中心軸を中心に回転するように位置付けられる第２のロータであって、前記キャップの前記第１の孔を塞ぐ位置と、前記キャップの前記第１の孔を塞がない位置との間で回転可能である第２のロータとを備え、
前記第１のロータ及び前記第２のロータの回転は、前記ロータのうちの少なくとも一方が前記キャップの前記第１の孔を常に塞いで、水分が前記容器に入り前記４０％超の苛性アルカリ材料を有する粉末製品又は粒状製品と接触することを防止するように順序付けられ、
前記アセンブリは、分配位置に固定される分配装置であって、前記容器の前記密封装置を受け取ると共に、前記密封装置を選択的に操作して前記４０％超の苛性アルカリを有する粉末製品又は粒状製品を分配する分配装置と、
前記分配装置に動作可能に連結されると共に、前記密封装置が前記分配装置と嵌合すると前記ロータを前記キャップに対して回転させる電源であって、それにより、前記第１のロータを前記第１のロータの前記第１の位置と前記第２の位置との間で回転させ、且つ前記第２のロータを前記第２のロータの前記第１の位置と前記第２の位置との間で回転させ、前記４０％超の苛性アルカリを有する粉末製品又は粒状製品を前記分配可能な容器から前記分配装置へ分配することを可能にする電源とを備える、アセンブリ。